(57)【要約】    【課題】  コンピュータからネットワークを介してネットワーク装置のリモートセットアップが可能なネットワークシステムにおいて、ユーザが不用意にネットワーク設定を変更することを防止する手段を提供する。    【解決手段】  プリンタ１とコンピュータ２とがネットワークＮを介して双方向通信可能に接続されたネットワークシステムであって、プリンタ１は、コンピュータ２からの送信要求に応じて接続データ編集画面をコンピュータ２に提供し、コンピュータ２の入力に基づいて、接続データを編集するものであり、コンピュータ２は、プリンタ１から受信した接続データ編集画面を表示し、該接続データ編集画面において接続データに閲覧及び編集を行うものである。【選択図】  図２
2006303737.tif 000002
【特許請求の範囲】
【請求項１】
ネットワーク装置と通信端末装置とがネットワークを介して双方向通信可能に接続されたネットワークシステムであって、
上記ネットワーク装置は、ネットワークに接続されて双方向通信可能な通信手段と、ネットワーク接続に必要な接続データを記憶する記憶手段と、上記接続データに基づいて上記通信手段を制御することによりネットワーク接続を行う接続制御手段と、通信端末装置からの送信要求に応じて、上記接続データを閲覧のみ可能に表示するとともに編集許容指示の入力を受けた場合には該接続データを編集可能に表示する接続データ編集画面を、上記通信手段を介して提供する編集画面提供手段と、該接続データ編集画面に入力された接続データに基づいて、上記接続データを編集して上記記憶手段に記憶させる接続データ編集手段と、を具備してなり、
上記通信端末装置は、上記ネットワークに接続されて双方向通信可能な通信手段と、該通信手段を介して提供された接続データ編集画面を表示する表示手段と、該接続データ編集画面に編集許容指示及び接続データを入力する入力手段と、を具備してなるものであるネットワークシステム。
【請求項２】
上記接続データ編集画面は、上記接続データを閲覧のみ可能に表示する画面において、上記編集許容指示の入力表示が行われるものである請求項１に記載のネットワークシステム。
【請求項３】
上記接続データ編集画面は、上記接続データを閲覧のみ可能に表示する画面において、閲覧可能な接続データが第１の背景色で表示され、上記接続データを編集可能に表示する画面において、編集可能な接続データが第２の背景色で表示されるものである請求項１又は２に記載のネットワークシステム。
【請求項４】
上記接続データ編集画面は、上記接続データを閲覧のみ可能に表示する画面において、接続データの変更に対する警告表示が行われるものである請求項１から３のいずれかに記載のネットワークシステム。
【請求項５】
上記接続データ編集画面は、上記接続データを閲覧のみ可能に表示する画面において、上記編集許容指示の入力表示と上記警告表示とが並列して表示されるものである請求項４に記載のネットワークシステム。
【請求項６】
上記接続データは、ネットワーク装置のネットワークアドレスを含むものである請求項１から５のいずれかに記載のネットワークシステム。
【請求項７】
上記ネットワーク装置の通信手段は、ネットワークに接続された無線アクセスポイント又は無線端末を通信対象として、該通信対象と無線でデータ通信を実行可能なものであり、
上記接続データは、無線アクセスポイント又は無線端末との接続を確立させるために必要なデータを含むものである請求項１から６のいずれかに記載のネットワークシステム。
【請求項８】
上記ネットワーク装置は、接続データ編集画面の提供に対応したパスワードを記憶するパスワード記憶手段と、通信端末装置から上記通信手段を介して接続データ編集画面が要求された場合に、該通信端末装置から送信されたパスワードが上記パスワード記憶手段に記憶されたパスワードと一致するか否かを判断するパスワード判定手段と、を具備し、
上記接続データ提供手段は、上記パスワード判定手段がパスワードの一致を判断した場合に、上記接続データ編集画面を提供する請求項１から７のいずれかに記載のネットワークシステム。
【請求項９】
ネットワーク装置と通信端末装置とがネットワークを介して双方向通信可能に接続され、上記通信端末装置において上記ネットワーク装置に格納されたネットワーク接続に必要な接続データを閲覧及び編集可能とする接続データ編集プログラムであって、
ネットワークを介して上記ネットワーク装置に上記接続データの閲覧及び編集を要求するステップと、
ネットワーク装置から受信した接続データを閲覧のみ可能に表示するステップと、
編集許容指示の入力を受けた場合に、上記接続データを編集可能に表示するステップと、
編集完了の入力を受けた場合に、編集された接続データに対応する編集指示情報をネットワークを介してネットワーク装置に送信するステップと、を上記通信端末装置に実行させる接続データ編集プログラム。
【請求項１０】
ネットワーク装置から受信した接続データを閲覧のみ可能に表示する画面において、上記編集許容指示の入力表示を行うものである請求項９に記載の接続データ編集プログラム。
【請求項１１】
ネットワーク装置から受信した接続データを閲覧のみ可能に表示する画面において、閲覧可能な接続データを第１の背景色で表示し、上記接続データを編集可能に表示する画面において、編集可能な接続データを第２の背景色で表示するものである請求項９又は１０に記載の接続データ編集プログラム。
【請求項１２】
ネットワーク装置から受信した接続データを閲覧のみ可能に表示する画面において、接続データの変更に対する警告表示を行うものである請求項９から１１のいずれかに記載の接続データ編集プログラム。
【請求項１３】
ネットワーク装置から受信した接続データを閲覧のみ可能に表示する画面において、上記編集許容指示の入力表示と上記警告表示とを並列して表示するものである請求項１２に記載の接続データ編集プログラム。
【請求項１４】
上記接続データは、ネットワーク装置のネットワークアドレスを含むものである請求項９から１３のいずれかに記載の接続データ編集プログラム。
【請求項１５】
上記ネットワーク装置は、ネットワークに接続された無線アクセスポイント又は無線端末を通信対象として、該通信対象と無線でデータ通信を実行可能なものであり、
上記接続データは、無線アクセスポイント又は無線端末との接続を確立させるために必要なデータを含むものである請求項９から１４のいずれかに記載の接続データ編集プログラム。
【発明の詳細な説明】
【技術分野】
【０００１】
本発明は、ネットワーク装置と通信端末装置とがネットワークを介して双方向通信可能に接続されたネットワークシステム、及びネットワーク装置と通信端末装置とがネットワークを介して双方向通信可能に接続され、上記通信端末装置において上記ネットワーク装置に格納されたネットワーク接続に必要な接続データを閲覧及び編集可能とする接続データ編集プログラムに関するものである。
【背景技術】
【０００２】
従来より、プリンタ機能やスキャナ機能等を有する多機能装置に、ＬＡＮ（Local Area Network）等のネットワークに接続されるネットワーク装置を備えたものがある。このような多機能装置は、複数台のコンピュータ（通信端末装置）にネットワークを介して共有され、プリンタやスキャナとして利用される。このネットワーク装置のネットワーク設定等は、ネットワーク管理者が使用するコンピュータからネットワークを介して行う所謂リモートセットアップが可能となっている。
【０００３】
ネットワーク設定に関しては、特定のネットワーク管理者のみが設定変更を行うこととし、一般のユーザはネットワーク設定を変更しないというルールでネットワークを運用することが多い。しかし、一般のユーザが、例えば、他のトラブルシューティングを行っている際に、誤ってネットワーク設定を変更するおそれがある。
【０００４】
このような不測のネットワーク設定の変更に対し、例えば、ネットワーク装置とネットワークを介して接続されたコンピュータから、リモートセットアップによりネットワーク設定を変更し、その変更後の設定に誤りがあってネットワーク装置とコンピュータとの接続が断たれてしまった場合に、ネットワーク装置が、一定時間経過後に設定を元に戻し、コンピュータとの接続を回復させる手段が開示されている（特許文献１参照）。
【０００５】
【特許文献１】特開２００１−２５１３３７号公報
【発明の開示】
【発明が解決しようとする課題】
【０００６】
しかし、前述した従来技術において、変更後のネットワーク装置の設定に誤りがなく、ネットワーク装置が正常に動作する場合には、ネットワーク装置は設定を元に戻すことなく変更後の設定により動作することとなる。例えば、ネットワーク装置に設定されていたネットワークアドレスが、別のネットワークに対応するネットワークアドレスに変更されれば、設定変更前のネットワークを介してネットワーク装置と接続されていたコンピュータは、設定変更前のネットワークからネットワーク装置へ接続することができなくなる。また、無線ＬＡＮによりネットワーク装置とコンピュータとが接続されている場合に、例えば通信チャネル等の無線接続に関する設定が変更されれば、コンピュータとネットワーク装置とは無線ＬＡＮを介した通信が不能となる。
【０００７】
本発明は、かかる問題に鑑みてなされたものであり、通信端末装置からネットワークを介してネットワーク装置のリモートセットアップが可能なネットワークシステムにおいて、ユーザが不用意にネットワーク設定を変更することを防止する手段を提供することを目的する。
【０００８】
また、ネットワークを介してネットワーク装置と接続された通信端末装置からリモートセットアップを可能とする接続データ編集プログラムにおいて、ユーザが不用意にネットワーク設定を変更することを防止する手段を提供することを目的する。
【課題を解決するための手段】
【０００９】
本発明は、ネットワーク装置と通信端末装置とがネットワークを介して双方向通信可能に接続されたネットワークシステムであって、上記ネットワーク装置は、ネットワークに接続されて双方向通信可能な通信手段と、ネットワーク接続に必要な接続データを記憶する記憶手段と、上記接続データに基づいて上記通信手段を制御することによりネットワーク接続を行う接続制御手段と、通信端末装置からの送信要求に応じて、上記接続データを閲覧のみ可能に表示するとともに編集許容指示の入力を受けた場合には該接続データを編集可能に表示する接続データ編集画面を、上記通信手段を介して提供する編集画面提供手段と、該接続データ編集画面に入力された接続データに基づいて、上記接続データを編集して上記記憶手段に記憶させる接続データ編集手段と、を具備してなり、上記通信端末装置は、上記ネットワークに接続されて双方向通信可能な通信手段と、該通信手段を介して提供された接続データ編集画面を表示する表示手段と、該接続データ編集画面に編集許容指示及び接続データを入力する入力手段と、を具備してなるものである。
【００１０】
このネットワークシステムによれば、通信端末装置からの要求に応じて、接続データを閲覧のみ可能に表示するとともに編集許容指示の入力を受けた場合には該接続データを編集可能に表示する接続データ編集画面が、ネットワーク装置からネットワークを介して通信端末装置に提供される。提供された接続データ編集画面は、通信端末装置の表示手段において、閲覧のみ可能に表示される。これにより、ユーザは、該通信端末装置において現在の接続データを確認することができる。また、接続データを編集するには、ユーザは該通信端末装置において編集許容指示を入力する。編集許容指示が入力されると、該通信端末装置において接続データが編集可能となる。編集された接続データは編集指示情報として出力され、ネットワーク装置は、該編集指示情報に基づいて接続データを編集して記憶手段に記憶させる。これにより、ネットワーク装置の接続データを、ネットワーク接続されている通信端末装置から閲覧及び編集することができる。また、編集許容指示がなければ接続データの編集ができないので、ユーザが不用意に接続データを編集することがない。したがって、誤操作によりネットワーク装置との接続が断たれることがない。
【００１１】
また、本発明は、上記ネットワークシステムにおいて、上記接続データ編集画面は、上記接続データを閲覧のみ可能に表示する画面において、上記編集許容指示の入力表示が行われるものである。
【００１２】
この入力表示は、例えば、チェックボックスやラジオボタン等のポインティングデバイスのポインタを合わせてクリックすることにより入力可能なものである。これにより、ユーザは通信端末装置に表示された接続データ編集画面において容易に編集許容指示を入力することができる。
【００１３】
また、本発明は、上記ネットワークシステムにおいて、上記接続データ編集画面は、上記接続データを閲覧のみ可能に表示する画面において、閲覧可能な接続データが第１の背景色で表示され、上記接続データを編集可能に表示する画面において、編集可能な接続データが第２の背景色で表示されるものである。
【００１４】
ネットワーク装置から通信端末装置に提供された接続データ編集画面が表示された画面において、接続データは閲覧可能なものとして第１の背景色で表示される。そして、その画面において編集許容指示が入力されれば、接続データは編集可能なものとして第２の背景色で表示される。これにより、ユーザは、通信端末装置に表示された接続データ編集画面において、接続データが閲覧のみ可能であるか編集可能であるかを一見して判断することができる。
【００１５】
また、本発明は、上記ネットワークシステムにおいて、上記接続データ編集画面は、上記接続データを閲覧のみ可能に表示する画面において、接続データの変更に対する警告表示が行われるものである。
【００１６】
ネットワーク装置から通信端末装置に提供された接続データ編集画面が表示された画面において、警告表示がなされる。この警告表示は、例えば、接続データを変更した場合にネットワークを介したネットワーク装置との接続が断たれるおそれがある旨の文書表示である。この警告表示により、ユーザは、接続データ編集画面において接続データを編集することによる生ずるネットワーク接続上の不具合を知る。これにより、ネットワーク接続に関する正確な知識を有しないユーザが、接続データを編集することが抑制できる。
【００１７】
また、本発明は、上記ネットワークシステムにおいて、上記接続データ編集画面は、上記接続データを閲覧のみ可能に表示する画面において、上記編集許容指示の入力表示と上記警告表示とが並列して表示されるものである。
【００１８】
入力表示と警告表示とを上下に或いは左右に並べて表示することにより、ユーザが通信端末装置に表示された接続データ編集画面の編集許容指示の入力欄に入力する場合には、必ず警告表示をみることとなるので、上記作用効果が確実に発揮される。
【００１９】
また、本発明は、上記ネットワークシステムにおいて、上記接続データは、ネットワーク装置のネットワークアドレスを含むものである。
【００２０】
これにより、ネットワークアドレスが不用意に編集されて、ネットワークに接続された通信端末装置とネットワーク装置との接続が断たれることがない。
【００２１】
また、本発明は、上記ネットワークシステムにおいて、上記ネットワーク装置の通信手段は、ネットワークに接続された無線アクセスポイント又は無線端末を通信対象として、該通信対象と無線でデータ通信を実行可能なものであり、上記接続データは、無線アクセスポイント又は無線端末との接続を確立させるために必要なデータを含むものである。
【００２２】
これにより、接続データが不用意に編集されて、無線アクセスポイント又は無線端末とネットワーク装置との接続が断たれることがない。
【００２３】
また、本発明は、上記ネットワークシステムにおいて、上記ネットワーク装置は、接続データ編集画面の提供に対応したパスワードを記憶するパスワード記憶手段と、通信端末装置から上記通信手段を介して接続データ編集画面が要求された場合に、該通信端末装置から送信されたパスワードが上記パスワード記憶手段に記憶されたパスワードと一致するか否かを判断するパスワード判定手段と、を具備し、上記接続データ提供手段は、上記パスワード判定手段がパスワードの一致を判断した場合に、上記接続データ編集画面を提供するものである。
【００２４】
接続データ編集画面の要求に伴って、通信端末装置からネットワークを介してネットワーク装置にパスワードが送信される。ネットワーク装置は、受信したパスワードが予めパスワード記憶手段に記憶されたパスワードと一致するか否かを判断する。そして、パスワードが一致していると判断した場合に、接続データ編集画面を上記通信端末装置に提供する。これにより、接続データの編集が許可されていないユーザが、ネットワークを介してネットワーク装置の接続データを編集することが防止される。
【００２５】
また、本発明は、ネットワーク装置と通信端末装置とがネットワークを介して双方向通信可能に接続され、上記通信端末装置において上記ネットワーク装置に格納されたネットワーク接続に必要な接続データを閲覧及び編集可能とする接続データ編集プログラムであって、ネットワークを介して上記ネットワーク装置に上記接続データの閲覧及び編集を要求するステップと、ネットワーク装置から受信した接続データを閲覧のみ可能に表示するステップと、編集許容指示の入力を受けた場合に、上記接続データを編集可能に表示するステップと、編集完了の入力を受けた場合に、編集された接続データに対応する編集指示情報をネットワークを介してネットワーク装置に送信するステップと、を上記通信端末装置に実行させるものである。
【００２６】
この接続データ編集プログラムによれば、ネットワーク装置から送信されたネットワーク接続するための接続データは、閲覧のみ可能な画面として通信端末装置に表示される。これにより、ユーザは、該通信端末装置において現在の接続データを確認することができる。また、接続データを編集するには、ユーザは、該通信端末装置において編集許容指示を入力する。編集許容指示が入力されると、通信端末装置は、接続データを編集可能に表示する。これにより、ユーザは、該通信端末装置において接続データを編集することができる。編集された接続データは、編集完了の入力を受けて、通信端末装置からネットワークを介してネットワーク装置に送信される。そして、ネットワーク装置に、編集された接続データが格納される。これにより、ネットワーク装置とネットワークを介して双方向通信可能に接続された通信端末装置において、該ネットワーク装置の接続データを閲覧及び編集することができる。また、該通信端末装置において、編集許容指示がなければ接続データの編集ができないので、ユーザが不用意に接続データを編集することがない。したがって、誤操作により通信端末装置とネットワーク装置との接続が断たれることがない。
【００２７】
また、本発明は、上記接続データ編集プログラムにおいて、ネットワーク装置から受信した接続データを閲覧のみ可能に表示する画面において、上記編集許容指示の入力表示を行うものである。
【００２８】
この入力表示は、例えば、チェックボックスやラジオボタン等のポインティングデバイスのポインタを合わせてクリックすることにより入力可能なものである。これにより、ユーザは通信端末装置に表示された閲覧画面において容易に編集許容指示を入力することができる。
【００２９】
また、本発明は、上記接続データ編集プログラムにおいて、ネットワーク装置から受信した接続データを閲覧のみ可能に表示する画面において、閲覧可能な接続データを第１の背景色で表示し、上記接続データを編集可能に表示する画面において、編集可能な接続データを第２の背景色で表示するものである。
【００３０】
通信端末装置に表示された画面において、接続データは閲覧可能なものとして第１の背景色で表示される。そして、通信端末装置に編集許容指示が入力されれば、接続データは編集可能なものとして第２の背景色で表示される。これにより、ユーザは、通信端末装置に表示された画面において、接続データが閲覧のみ可能であるか編集可能であるかを一見して判断することができる。
【００３１】
また、本発明は、上記接続データ編集プログラムにおいて、ネットワーク装置から受信した接続データを閲覧のみ可能に表示する画面において、接続データの変更に対する警告表示を行うものである。
【００３２】
通信端末装置に表示された画面において、接続データとともに、例えば、接続データを変更した場合にネットワークを介したネットワーク装置との接続が断たれるおそれがある旨の文書表示からなる警告表示がされる。この警告表示により、ユーザは、編集画面における接続データの編集によるネットワーク接続上の不具合を知る。これにより、ネットワーク接続に関する正確な知識を有しないユーザが、通信端末装置に編集許容指示を入力して接続データを編集することが抑制できる。
【００３３】
また、本発明は、上記接続データ編集プログラムにおいて、ネットワーク装置から受信した接続データを閲覧のみ可能に表示する画面において、上記編集許容指示の入力表示と上記警告表示とを並列して表示するものである。
【００３４】
入力表示と警告表示とを上下に或いは左右に並べて表示することにより、ユーザが、通信端末装置において、編集許容指示の入力欄に入力する場合には、必ず警告表示をみることとなるので、上記作用効果が確実に発揮される。
【００３５】
また、本発明は、上記接続データ編集プログラムにおいて、上記接続データは、ネットワーク装置のネットワークアドレスを含むものである。
【００３６】
これにより、ネットワークアドレスが不用意に編集されて、ネットワークに接続された通信端末装置とネットワーク装置との接続が断たれることがない。
【００３７】
また、本発明は、上記接続データ編集プログラムにおいて、上記ネットワーク装置は、ネットワークに接続された無線アクセスポイント又は無線端末を通信対象として、該通信対象と無線でデータ通信を実行可能なものであり、上記接続データは、無線アクセスポイント又は無線端末との接続を確立させるために必要なデータを含むものである。
【００３８】
これにより、接続データが不用意に編集されて、無線アクセスポイント又は無線端末とネットワーク装置との接続が断たれることがない。
【発明の効果】
【００３９】
本発明に係るネットワークシステム又は接続データ編集プログラムによれば、ネットワーク装置の接続データを、通信端末装置において閲覧のみ可能に表示し、接続データを編集するには、ユーザが編集許容指示を入力しなければならないものとしたので、編集許容指示が入力されない限り、ユーザが不用意に接続データを編集することがない。これにより、ユーザが不用意にネットワーク設定を変更することを防止できる。
【発明を実施するための最良の形態】
【００４０】
以下、適宜図面を参照して本発明の実施形態を説明する。
以下に説明する第１の実施形態において、本発明に係るネットワーク装置は、プリンタ１として実現されており、該プリンタ１がネットワークＮを介して複数のコンピュータ２（通信端末装置，無線端末）と双方向通信可能に接続されて、本発明に係るネットワークシステムが構成されている。詳細には、図１に示すように、ネットワークＮは、無線ＬＡＮ方式で構成されており、プリンタ１及び各コンピュータ２は、無線アクセスポイント３との無線接続を確立して、ネットワークＮに組み込まれている。なお、本実施の形態では、本発明に係る通信端末装置をコンピュータ２としているが、本発明に係る通信端末装置はコンピュータに限定されるものではなく、例えば携帯電話のように、ネットワークＮを経由してプリンタ１と双方向通信可能であり、接続データ編集画面を表示できる情報端末であればよい。
【００４１】
プリンタ１は、プリンタ機能、スキャナ機能、コピー機能、及びファクシミリ機能を有する多機能装置（ＭＦＤ：Multi Function Device）であり、主にコンピュータ２から送信された画像データや文書データを含む印刷データに基づいて、記録用紙に画像や文書を記録するものである。なお、プリンタ１の機能は特に限定されるものではなく、例えば、プリンタ機能以外の機能を有しない単機能のプリンタであってもよく、また、デジタルカメラ等の外部機器と接続されてデジタルカメラから出力される画像データを記録用紙に記録したり、メモリカード等の各種記録媒体を装填して、該記録媒体に記録された画像データ等を記録用紙に記録可能なものであってもよい。
【００４２】
プリンタ１は、図２に示すように、ＣＰＵ１０、ＲＯＭ１１、ＲＡＭ１２、不揮発性ＲＡＭ１３（ＮＶＲＡＭ）、操作部１４、表示部１５、プリンタ部１６、スキャナ部１７、モデム１８、無線インターフェイス１９（無線Ｉ／Ｆ）を具備する。
【００４３】
ＲＯＭ１１には、プリンタ１の各種動作を制御するためのプログラム等が格納されている。ＲＡＭ１２は、ＣＰＵ１０が上記プログラムを実行する際に用いる各種データを一時的に記録する記憶領域又は作業領域として、さらには、ファクシミリ機能により送受信するファクシミリデータ、スキャナ機能により読取りを行った画像データ、或いはプリンタ機能により印刷する印刷データを一時的に記憶する記憶領域として使用される。これらＣＰＵ１０、ＲＯＭ１１、及びＲＡＭ１２により、本発明に係る接続制御手段、編集画面提供手段、接続データ編集手段、及びパスワード判定手段が構成される。
【００４４】
ＮＶＲＡＭ１３は、プリンタ１に関する各種設定データであって電源オフ後も保持すべきデータを記憶する記憶手段である。本実施の形態では、プリンタ１が無線アクセスポイント３との無線接続を確立させるために必要な接続データ、及び接続データ編集画面の提供に必要なパスワードがＮＶＲＡＭ１３に記憶されており、本発明に係る記憶手段及びパスワード記憶手段を構成する。
【００４５】
接続データは、ネットワークＮとの接続に必要なデータを広く含むものであり、特に、設定が変更されれば、既に接続確立されているプリンタ１と無線アクセスポイント３との無線接続が確立できなくなるものである。ネットワークＮとの接続に必要なデータは、ネットワークＮの通信プロトコルが準拠する規格や、無線ＬＡＮにおける通信データの暗号化等のセキュリティレベル等により様々であるが、例えば、接続対象となるネットワークを識別するために用いる識別情報や、ネットワークアドレス、データの暗号化に使用する暗号化キー等が本発明に係る接続データに該当する。
【００４６】
操作部１４は、プリンタ１に設けられた各種操作ボタン等から構成され、表示部１５は、プリンタ１に設けられた液晶表示パネルから構成されている。プリンタ１は、操作部１４からの操作指示に基づいて動作し、また、コンピュータ２からプリンタドライバ等を介して送信される指示に基づいても動作する。また、表示部１５には、上記ＮＶＲＡＭ１３に記憶された接続データやパスワードを表示させることが可能であり、例えば、プリンタ１と無線アクセスポイント３との無線接続を確立するための初期設定を、プリンタ１の操作部１４及び表示部１５において行うことができる。
【００４７】
プリンタ部１６は、コンピュータ２から送信された印刷データや、ファクシミリ受信したファクシミリデータを記録用紙等の被記録媒体に印刷するものである。印刷方式は特に限定されるものではなく、インクジェット印刷やレーザ印刷、感熱印刷等の公知の印刷方式を採用することができる。
【００４８】
スキャナ部１７は、フラットベッドスキャナとして、或いは自動原稿送り装置（ＡＤＦ）により搬送される原稿を読取り可能に構成されている。例えばフラットベッドスキャナであれば、プリンタ１の天板として開閉自在に設けられた原稿カバーの下側に、プラテンガラス及びイメージセンサが設けられ、イメージセンサがプラテンガラスに沿って走査されることにより、該プラテンガラスに載置された原稿を読み取るようになっている。
【００４９】
モデム１８は、公衆回線を介して外部との音声通信及びデータ通信を行うものであり、プリンタ１のファクシミリ機能を使用する際に用いられる。また、無線Ｉ／Ｆ１９は、電波や赤外線等により、無線アクセスポイント３との間でデータを双方向通信するためのものであり、本発明に係る通信手段を構成する。
【００５０】
コンピュータ２は、カードスロットに無線ＬＡＮカードを装着することにより無線端末として機能するように構成されたものであり、ＣＰＵ２０、ＲＯＭ２１、ＲＡＭ２２、ハードディスク装置２３（ＨＤＤ）、操作部２４、表示部２５、無線インターフェイス２６（無線Ｉ／Ｆ）を具備する。
【００５１】
ＲＯＭ２１には、コンピュータ２の制御や演算を実行するためのプログラム等が格納されている。ＲＡＭ２２は、ＣＰＵ２０が上記プログラムを実行する際に用いる各種データを一時的に記録する記憶領域又は作業領域として使用される。また、ＨＤＤ２３には、コンピュータ２において利用される各種アプリケーションプログラムやデータファイルが記録されている。
【００５２】
操作部２４は、キーボードや各種ポインティングデバイス等であり、本発明に係る入力手段を構成している。表示部２５は、ＣＲＴや液晶ディスプレイ等であり、本発明に係る表示手段を構成している。無線Ｉ／Ｆ２６は、無線ＬＡＮカードをコンピュータ２に装着することによって構成されており、本発明に係る通信手段を構成している。
【００５３】
無線アクセスポイント３は、ＣＰＵ２７、ＲＯＭ２８、ＲＡＭ２９、表示部３０、無線インターフェイス３１（無線Ｉ／Ｆ）、及びＬＡＮインターフェイス３２（ＬＡＮ・Ｉ／Ｆ）を具備する。
【００５４】
ＲＯＭ２８には、無線アクセスポイント３の制御や演算を実行するためのプログラム等が格納されている。ＲＡＭ２９は、ＣＰＵ２７が上記プログラムを実行する際に用いる各種データを一時的に記録する記憶領域又は作業領域として使用される。表示部３０は、液晶ディスプレイやＬＥＤ等であり、無線アクセスポイント３の状態等を表示するものである。無線Ｉ／Ｆ３１は、電波や赤外線等により、プリンタ１及びコンピュータ２との間でデータを双方向通信するためのものである。ＬＡＮ・Ｉ／Ｆ３２は、有線ネットワーク側とＬＡＮケーブルを介して双方向通信するためのものである。
【００５５】
以下、リモートセットアップにおけるプリンタ１及びコンピュータ２の動作について説明する。図３及び図５は、プリンタ１の動作を示すフローチャートであり、図４は、コンピュータ２の動作を示すフローチャートである。
【００５６】
プリンタ１の電源がオンされると、図３に示すように、プリンタ１はＮＶＲＡＭ１３に記憶された接続データに基づいて動作する（Ｓ１）。ＮＶＲＡＭ１３には、接続データの他、プリンタ１に設定可能な各種設定項目の設定値が記録されている。したがって、ＣＰＵ１０は、ＮＶＲＡＭ１３に記憶された接続データに基づいて無線Ｉ／Ｆ１９を制御して、無線アクセスポイント３との接続を確立する。これにより、プリンタ１は、ネットワークＮに組み込まれる。
【００５７】
つづいて、プリンタ１は、コンピュータ２から接続データ編集画面の送信要求があるまで待機する（Ｓ２）。なお、この間に他のコンピュータ２からの印刷命令や、ファクシミリ受信等の様々なコマンドに対してプリンタ１は動作するが、これらは本発明の要部に直接関係しないので詳細な説明は省略する。
【００５８】
一方、電源がオンされたコンピュータ２も無線アクセスポイント３との接続を確立することにより、ネットワークＮに組み込まれる。そして、図４に示すように、リモートセットアップの入力があるまで待機する。ユーザは、コンピュータ２においてリモートセットアップのためのアプリケーションプログラムを起動することにより、プリンタ１のリモートセットアップを行うことができる。アプリケーションプログラムが起動されると、ユーザは、操作部２４を用いて接続データ編集画面の送信要求をコマンド入力することができる。このコマンド入力を受けて（Ｓ１０）、コンピュータ２は、無線Ｉ／Ｆ２６を介してネットワークＮ経由でプリンタ１に接続データ編集画面の送信要求を示す信号を出力する（Ｓ１１）。さらに、コンピュータ２は、表示部２５にパスワード入力画面を表示する。ユーザが、該表示画面において予め定められたパスワードを入力すると、コンピュータ２は、該パスワードを、無線Ｉ／Ｆ２６を介してネットワークＮ経由でプリンタ１に出力する（Ｓ１２）。
【００５９】
図３に示すように、接続データ編集画面の送信要求を受信したプリンタ１は（Ｓ２）、続いて受信したパスワードをチェックする（Ｓ３）。詳細には、プリンタ１のＣＰＵ１０は、ＲＯＭ１１の制御プログラムに基づいて、接続データ編集画面の提供に対応して予めＮＶＲＡＭ１３に記憶されたパスワードを読み出して、受信したパスワードと比較する。そして、パスワードが一致すれば、接続データ編集画面を無線Ｉ／Ｆ１９を介してネットワークＮ経由でコンピュータ２に提供する（Ｓ４）。接続データ編集画面は、ＲＯＭ１１に格納されたプログラムに基づいて、ＣＰＵ１０がＮＶＲＡＭ１３に格納された接続データを読み出すことにより生成される。生成された接続データ編集画面はＲＡＭ１２に一時的に格納され、この接続データ編集画面が、ネットワークＮ経由でプリンタ１にアクセスされたコンピュータ２に提供される。
【００６０】
一方、パスワードが一致しない場合は、パスワードの再入力をコンピュータ２に要求し、該要求に基づいて、コンピュータ２は表示部２５にパスワード入力画面を再表示する。これにより、接続データの編集が許可されていないユーザが、コンピュータ２からネットワークＮ経由でプリンタ１の接続データを編集することが防止される。
【００６１】
以下、プリンタ１による接続データ編集画面の提供について詳述する。
図５に示すように、プリンタ１からコンピュータ２へ接続データ編集画面が提供されることにより、該接続データ編集画面が表示部２５にオープンされる（Ｓ２１）。プリンタ１は、まず接続データ編集画面を接続データの閲覧のみ可能に表示する（Ｓ２２）。詳細には、図６に示すように、接続データに関する項目の表示部分が、グレーアウトで、すなわち灰色（第１の背景色）の背景で表示される。これにより、ユーザはコンピュータ２の表示部２５において、プリンタ１の現在の接続データの設定を閲覧することができる。この表示画面においては、接続データの閲覧のみが許容されており、表示された接続データを編集することはできない。つまり、灰色で表示された接続データの各項目には、例えばマウス等のポインティングデバイスのポインタを表示上に移動させてクリックしても、カーソルが移動しないようになっている。これにより、ユーザが不用意に接続データを編集することが防止される。
【００６２】
図において、「Setup TCP/IP」の表示以下に示された各項目はプリンタ１の接続データである。これら各接続データがＮＶＲＡＭ１３から読み出されて接続データ編集画面に表示される。詳細には、「BOOT Method」の表示は、プリンタ１の電源が投入されてからユーザが操作可能となるまでにプリンタ１が自動的に行う一連の動作を選択するものであり、「Static」の表示は、無線ＬＡＮにおける通信のルーティングを静的ルーティング、すなわちルーティングデータが固定的に設定されることを示している。このほか、ダイナミック・ルーティングと呼ばれるルーティングデータが自動的に更新されるルーティング方式を選択することが可能となっている。
【００６３】
また、「IP Adress」の表示は、ネットワークＮにおけるプリンタ１の住所に当たるものであり、ネットワークアドレスとホストアドレスとを組み合わせた形式で表現されている。このような表現方法は、ネットワークの通信プロトコルが準拠する規格によって異なる。「Subnet Mask」は、ネットワークＮを含むネットワークにおいてサブネットの分割を行うためのビット列である。「Gateway」は、階層構造的に体系化されたプロトコルのうち所定のプロトコルに対応するものを示しており、例えば、ネットワーク層で相互接続されるルータである。
【００６４】
「Host Name」は、ネットワークＮにおいてプリンタ１に設定された名前を示している。「WINS Server」は、プリンタ１やコンピュータ２の名前とＩＰアドレスとの関連づけを行う動的なデータベースが格納されたサーバであり、また、「DNS Server」は、ホスト名とＩＰアドレスとの対応表を格納したサーバであり、いずれもプライマリ・サーバ及びセカンダリ・サーバの２つのサーバが設定されている。「APIPA」はＩＰアドレスの自動割り当て機能であり、オン／オフが設定できるようになっている。これら接続データの各項目は、図に示すように灰色の背景色で表示されている。
【００６５】
表示画面の最下部には、「OK」，「Cancel」，「Apply」の３つのボタンが表示されている。ユーザは、所望のコマンドに応じてこれらボタンをクリックする。図６に示す接続データ編集画面、すなわち接続データの閲覧のみ可能な表示画面において、ユーザが、「OK」又は「Cancel」のボタンをクリックすると（Ｓ２３，Ｓ２４）、プリンタ１は、表示画面をクローズして（Ｓ３２）、終了をコマンドする（Ｓ３３）。この終了コマンドにより、プリンタ１は、図３に示すように、ＮＶＲＡＭ１３の接続データの設定を変更することなく待機状態となる（Ｓ８）。すなわち、「Cancel」ボタンは、リモートセットアップの一連の動作をキャンセルするコマンドであり、「OK」ボタンは、図６に示す接続データ編集画面をクローズして、リモートセットアップを終了させるコマンドである。
【００６６】
また、接続データ編集画面の最上部には、閲覧のみ可能に表示された接続データを編集するための編集許容指示の入力表示がなされている。詳細には、表示画面の最上部には、「接続データの編集」を意味する「Edit Network Settings」の表示がされており、その表示の左側には、チェックボックスが表示されている。ユーザは、このチェックボックスにマウス等のポインタを合わせてクリックすることにより、コンピュータ２の表示部１５に表示された画面、すなわち接続データの閲覧のみ可能に表示された表示画面において、編集許容指示を入力することができる。
【００６７】
また、上記表示画面には、「Edit Network Settings」の表示と上下方向に並んで、接続データの変更に対する警告表示がなされている。この警告表示は、「不適当な設定によりあなたの端末がネットワークに接続できなくなるおそれがある」旨の「Improper configuration may cause your machine to be disconnected from your network」の文書表示からなる。この警告表示により、ユーザは、接続データ編集画面において接続データを不用意に変更することにより、プリンタ１とコンピュータ２との接続が断たれる等のネットワーク接続上の不具合を知ることができる。また、この警告表示は、上記チェックボックスと並列に表示されているので、ユーザがチェックボックスにマウス等のポインタをあわせて編集許容指示を入力する場合には、必ずこの警告表示をみることとなる。これにより、ネットワーク接続に関する正確な知識を有しないユーザが、接続データを編集することを抑制できる。
【００６８】
そして、ユーザが上記チェックボックスに入力を行うと（Ｓ２５）、上記接続データ編集画面は、接続データを編集可能な画面となる（Ｓ２６）。詳細には、図７に示すように、チェックボックスにはチェックマークが表示され、「Setup TCP/IP」の表示以下に示されたプリンタ１の接続データの表示、すなわち、「BOOT Method」、「IP Adress」、「Subnet Mask」、「Gateway」、「Host Name」、「WINS Server」、「DNS Server」、及び「APIPA」の各項目の背景色が、灰色から白色（第２の背景色）となる。この背景色の変化により、ユーザは、コンピュータ２に表示された接続データ編集画面において、閲覧のみ可能な接続データが編集可能となったことを一見して判断することができる。そして、ユーザは、この接続データ編集画面において、接続データの編集を行うことができる。つまり、白色の背景色で表示された接続データの各項目の表示上にマウス等のポインタを移動させてクリックするとカーソルが移動し、キーボード等から入力を行うことにより、その接続データを編集することができる。なお、本実施の形態では、本発明に係る第１の背景色を灰色とし、第２の背景色を白色としているが、これら第１の背景色と第２の背景色とは、表示画面において接続データの視認が可能であって、明度や色相によりユーザが別ものと識別可能な色であれば特に限定されず、任意の色を選択することが可能である。
【００６９】
上記編集可能な画面において、ユーザが「Cancel」のボタンをクリックすると（Ｓ２７）、ユーザが接続データの編集を行ったか否かにかかわらず、プリンタ１は、画面をクローズして（Ｓ３２）、終了をコマンドする（Ｓ３３）。この終了コマンドにより、プリンタ１は、図３に示すように、ＮＶＲＡＭ１３の接続データの設定を変更することなく待機状態となる（Ｓ８）。すなわち、本画面においても、「Cancel」ボタンは、リモートセットアップの一連の動作をキャンセルするコマンドである。
【００７０】
上記編集可能な画面において、ユーザが「Apply」のボタンをクリックすると（Ｓ２８）、プリンタ１は、表示画面に現在入力されている接続データに基づいて編集指示をコマンドする（Ｓ３０）。すなわち、「Apply」ボタンは、接続データの編集完了を意味するコマンドである。そして、図３に示すように、この編集指示コマンドにより（Ｓ５）、プリンタ１は、編集された接続データに基づいてＮＶＲＡＭ１３の接続データの設定を変更する（Ｓ６）。つまり、ＣＰＵ１０が、ＮＶＲＡＭ１３に記憶されている接続データを、接続データ編集画面に入力された接続データに基づいて編集して、編集後の接続データをＮＶＲＡＭ１３に記憶させる。そして、変更された接続データに基づいてネットワークとの接続を確立して動作する（Ｓ７）。
【００７１】
また、上記編集可能な画面において、ユーザが「OK」のボタンをクリックすると（Ｓ２９）、プリンタ１は、表示画面に現在入力されている接続データに基づいて編集指示をコマンドする（Ｓ３１）。続いて、プリンタ１は、表示画面をクローズして（Ｓ３２）、終了をコマンドする（Ｓ３３）。すなわち、「OK」ボタンは、接続データの編集完了及びリモートセットアップの完了を意味するコマンドである。図３に示すように、編集指示コマンドにより（Ｓ５）、プリンタ１は、編集された接続データに基づいてＮＶＲＡＭ１３の接続データの設定を変更する（Ｓ６）。そして、変更された接続データに基づいてネットワークとの接続を確立して動作する（Ｓ７）。その後、終了コマンドによりリモートセットアップを終了して待機状態となる（Ｓ８）。
【００７２】
このように、本実施の形態に係るネットワークシステムによれば、プリンタ１からネットワークＮを介してコンピュータ２に提供された接続データ編集画面が、接続データを閲覧のみ可能に表示し、接続データを編集するには、ユーザが編集許容指示を入力しなければならないものとしたので、編集許容指示が入力されない限り、ユーザが不用意に接続データを編集することがない。これにより、ユーザが不用意にプリンタ１のネットワーク設定を変更することを防止できる。
【００７３】
なお、本実施の形態においては、プリンタ１及びコンピュータ２が無線ＬＡＮにより双方向通信可能にネットワーク接続されたネットワークシステムを例に説明したが、プリンタ１及びコンピュータ２がＬＡＮケーブルにより双方向通信可能にネットワーク接続されたネットワークシステムや、プリンタ１と複数のコンピュータ２とが無線ＬＡＮ又はＬＡＮケーブルのいずれかによりネットワーク接続されたネットワークシステムにおいても適用できることは当然である。
【００７４】
また、本実施の形態で示した接続データを閲覧のみ可能な表示画面及び編集可能な表示画面の構成は一例であり、例えば、ユーザが編集許容指示を入力するためのチェックボックスをラジオボタンに変更する、警告表示を入力表示の上側にする、或いは表示言語を日本語にする等、本発明の要旨を変更しない範囲で適宜画面構成を変更できることは当然である。
【００７５】
以下、本発明の第２の実施の形態について説明する。
第２の実施の形態では、上記コンピュータ２にアプリケーションプログラムとしてインストールされた接続データ編集プログラムが、プリンタ１から接続データの提供を受けて接続データ閲覧及び編集可能な画面を生成し、該画面をコンピュータ２の表示部２５に表示するものである。なお、プリンタ１、コンピュータ２、及び無線アクセスポイント３により構成されるネットワークＮの構成は上記第１の実施の形態と同様である。また、プリンタ１のＮＶＲＡＭ１３には、接続データの提供に対応したパスワードが格納されており、コンピュータ２のＨＤＤ２３には、本発明に係る接続データ編集プログラムがアプリケーションプログラムとして格納されている他は、プリンタ１、コンピュータ２、及び無線アクセスポイント３の構成も同様であるので、これらの詳細な説明は省略する。
【００７６】
以下、リモートセットアップにおけるプリンタ１及びコンピュータ２の動作について説明する。図８は、プリンタ１の動作を示すフローチャートであり、図９は、コンピュータ２の動作を示すフローチャートである。
【００７７】
プリンタ１の電源がオンされると、図８に示すように、プリンタ１はＮＶＲＡＭ１３に記憶された接続データに基づいて動作する（Ｓ５１）。ＮＶＲＡＭ１３には、接続データの他、プリンタ１に設定可能な各種設定項目の設定値が記録されている。したがって、ＣＰＵ１０は、ＮＶＲＡＭ１３に記憶された接続データに基づいて無線Ｉ／Ｆ１９を制御して、無線アクセスポイント３との接続を確立する。これにより、プリンタ１は、ネットワークＮに組み込まれる。
【００７８】
つづいて、プリンタ１は、コンピュータ２から接続データの送信要求があるまで待機する（Ｓ５２）。なお、この間に他のコンピュータ２からの印刷命令や、ファクシミリ受信等の様々なコマンドに対してプリンタ１は動作するが、これらは本発明の要部に直接関係しないので詳細な説明は省略する。
【００７９】
一方、電源がオンされたコンピュータ２も無線アクセスポイント３との接続を確立することにより、ネットワークＮに組み込まれる。そして、図９に示すように、リモートセットアップの入力があるまで待機する。ユーザは、コンピュータ２において接続データ編集プログラムを起動することにより、プリンタ１のリモートセットアップを行うことができる。接続データ編集プログラムが起動されると、ユーザは、操作部２４を用いて接続データの送信要求をコマンド入力することができる。このコマンド入力を受けて（Ｓ６０）、コンピュータ２は、無線Ｉ／Ｆ２６を介してネットワークＮ経由でプリンタ１に接続データの送信要求を示す信号を出力する（Ｓ６１）。さらに、コンピュータ２は、表示部２５にパスワード入力画面を表示する。ユーザが、該表示画面において予め定められたパスワードを入力すると、コンピュータ２は、該パスワードを、無線Ｉ／Ｆ２６を介してネットワークＮ経由でプリンタ１に送信する（Ｓ６２）。
【００８０】
図８に示すように、接続データの送信要求を受信したプリンタ１は（Ｓ５２）、続いて受信したパスワードをチェックする（Ｓ５３）。詳細には、プリンタ１のＣＰＵ１０は、ＲＯＭ１１の制御プログラムに基づいて、接続データの提供に対応して予めＮＶＲＡＭ１３に記憶されたパスワードを読み出して、受信したパスワードと比較する。そして、パスワードが一致すれば、ＮＶＲＡＭ１１に格納された接続データを無線Ｉ／Ｆ１９を介してネットワークＮ経由でコンピュータ２に送信する（Ｓ５４）。
【００８１】
一方、パスワードが一致しない場合は、パスワードの再入力をコンピュータ２に要求し、該要求に基づいて、コンピュータ２は表示部２５にパスワード入力画面を再表示する。これにより、接続データの編集が許可されていないユーザが、コンピュータ２からネットワークＮ経由でプリンタ１の接続データを編集することが防止される。そして、プリンタ１は、コンピュータ２から編集指示情報が送信されるまで待機する（Ｓ５５）。
【００８２】
図９に示すように、接続データの提供を受けたコンピュータ２は（Ｓ６３）、表示部２５に接続データの表示画面を表示する（Ｓ６４）。表示画面において、図６に示したように、接続データに関する項目の表示部分が、グレーアウトで、すなわち灰色（第１の背景色）の背景で表示される。これにより、ユーザはコンピュータ２の表示部２５において、プリンタ１の現在の接続データの設定を閲覧することができる（Ｓ６５）。この表示画面においては、接続データの閲覧のみが許容されており、表示された接続データを編集することはできない。つまり、灰色で表示された接続データの各項目には、例えばマウス等のポインティングデバイスのポインタを表示上に移動させてクリックしても、カーソルが移動しないようになっている。これにより、ユーザが不用意に接続データを編集することが防止される。
【００８３】
図において、「Setup TCP/IP」の表示以下に示された各項目はプリンタ１の接続データである。これらの詳細は上記第１の実施の形態と同様であるので詳細な説明は省略する。また、表示画面の最下部には、「OK」，「Cancel」，「Apply」の３つのボタンが表示されている。ユーザは、所望のコマンドに応じてこれらボタンをクリックする。図６に示す接続データの閲覧のみ可能な表示画面において、ユーザが、「OK」又は「Cancel」のボタンをクリックすると（Ｓ６６，Ｓ６７）、コンピュータ２は、表示画面をクローズして（Ｓ７５）、無線Ｉ／Ｆ２６を介してネットワークＮ経由でプリンタ１に終了命令を送信して待機状態となる（Ｓ７６）。この終了命令を受信したプリンタ１は、図８に示すように、ＮＶＲＡＭ１３の接続データの設定を変更することなく待機状態となる（Ｓ５８）。すなわち、「Cancel」ボタンは、リモートセットアップの一連の動作をキャンセルするコマンドであり、「OK」ボタンは、図６に示す表示画面をクローズして、リモートセットアップを終了させるコマンドである。
【００８４】
また、上記表示画面の最上部には、閲覧のみ可能に表示された接続データを編集するための編集許容指示の入力表示がなされている。また、上記表示画面には、「Edit Network Settings」の表示と上下方向に並んで、接続データの変更に対する警告表示がなされている。この入力表示及び警告表示は、上記第１の実施の形態と同様であるので詳細な説明は省略する。
【００８５】
そして、ユーザがチェックボックスに入力を行うと（Ｓ６８）、上記表示画面は、接続データを編集可能な画面となる（Ｓ６９）。この表示画面は、図７に示したものと同様であり、チェックボックスにはチェックマークが表示され、「Setup TCP/IP」の表示以下に示されたプリンタ１の接続データの表示、すなわち、「BOOT Method」、「IP Adress」、「Subnet Mask」、「Gateway」、「Host Name」、「WINS Server」、「DNS Server」、及び「APIPA」の各項目の背景色が、灰色から白色（第２の背景色）となる。この背景色の変化により、ユーザは、コンピュータ２に表示された画面において、閲覧のみ可能な接続データが編集可能となったことを一見して判断することができる。そして、ユーザは、この表示画面において、接続データの編集を行うことができる。
【００８６】
上記編集可能な表示画面において、ユーザが「Cancel」のボタンをクリックすると（Ｓ７０）、ユーザが接続データの編集を行ったか否かにかかわらず、コンピュータ２は、表示画面をクローズして（Ｓ７５）、無線Ｉ／Ｆ２６を介してネットワークＮ経由でプリンタ１に終了命令を送信して待機状態となる（Ｓ７６）。この終了命令を受信したプリンタ１は、図８に示すように、ＮＶＲＡＭ１３の接続データの設定を変更することなく待機状態となる（Ｓ５８）。すなわち、本画面においても、「Cancel」ボタンは、リモートセットアップの一連の動作をキャンセルするコマンドである。
【００８７】
上記編集可能な表示画面において、ユーザが「Apply」のボタンをクリックすると（Ｓ７１）、コンピュータ２は、表示画面に現在入力されている接続データを編集指示情報として無線Ｉ／Ｆ２６を介してプリンタ１に送信する（Ｓ７３）。すなわち、「Apply」ボタンは、接続データの編集完了を意味するコマンドである。そして、図８に示すように、この編集指示情報を受信したプリンタ１は（Ｓ５５）、編集指示情報に基づいてＮＶＲＡＭ１３の接続データの設定を変更する（Ｓ５６）。つまり、ＣＰＵ１０が、ＮＶＲＡＭ１３に記憶されている接続データを編集指示情報に基づいて編集して、編集後の接続データをＮＶＲＡＭ１３に記憶させる。そして、変更された接続データに基づいてネットワークとの接続を確立して動作する（Ｓ５７）。
【００８８】
また、上記編集可能な表示画面において、ユーザが「OK」のボタンをクリックすると（Ｓ７２）、コンピュータ２は、表示画面に現在入力されている接続データを編集指示情報として無線Ｉ／Ｆ２６を介してネットワークＮ経由でプリンタ１に送信する（Ｓ７４）。続いて、コンピュータ２は、表示画面をクローズして（Ｓ７５）、終了命令をネットワークＮ経由でプリンタ１に送信する（Ｓ７６）。すなわち、「OK」ボタンは、接続データの編集完了及びリモートセットアップの完了を意味するコマンドである。図８に示すように、編集指示情報を受信したプリンタ１は（Ｓ５５）、編集指示情報に基づいてＮＶＲＡＭ１３の接続データの設定を変更する（Ｓ５６）。そして、変更された接続データに基づいてネットワークとの接続を確立して動作する（Ｓ５７）。その後、終了命令を受信することによりリモートセットアップを終了して待機状態となる（Ｓ５８）。
【００８９】
このように、本実施の形態に係る接続データ編集プログラムによれば、プリンタ１からネットワークＮを介してコンピュータ２に提供された接続データを、コンピュータ２において閲覧のみ可能に表示し、接続データを編集するには、ユーザが編集許容指示を入力しなければならないものとしたので、編集許容指示が入力されない限り、ユーザが不用意に接続データを編集することがない。これにより、ユーザが不用意にプリンタ１のネットワーク設定を変更することを防止できる。
【図面の簡単な説明】
【００９０】
【図１】図１は、本発明の第１の実施の形態に係るネットワークシステムの構成を示す模式図である。
【図２】図２は、プリンタ１、コンピュータ２、及び無線アクセスポイント３の内部構成を示すブロック図である。
【図３】図３は、リモートセットアップにおけるプリンタ１の動作を示すフローチャートである。
【図４】図４は、リモートセットアップにおけるコンピュータ２の動作を示すフローチャートである。
【図５】図５は、接続データ編集画面の提供動作を示すフローチャートである。
【図６】図６は、接続データを閲覧のみ可能に表示した表示画面を示す図である。
【図７】図７は、接続データを編集可能に表示した表示画面を示す図である。
【図８】図８は、第２の実施の形態におけるプリンタ１の動作を示すフローチャートである。
【図９】図９は、第２の実施の形態に係る接続データ編集プログラムに基づくプリンタ１の動作を示すフローチャートである。
【符号の説明】
【００９１】
１・・・プリンタ（ネットワーク装置）
２・・・コンピュータ（通信端末装置，無線端末）
３・・・無線アクセスポイント
１０・・・ＣＰＵ（接続制御手段、接続データ提供手段、接続データ編集手段、パスワード判定手段）
１１・・・ＲＯＭ（接続制御手段、接続データ提供手段、接続データ編集手段、パスワード判定手段）
１３・・・ＮＶＲＡＭ（記憶手段、パスワード記憶手段）
１９・・・無線Ｉ／Ｆ（通信手段）
２０・・・ＣＰＵ（表示手段、編集指示情報送信手段）
２４・・・操作部（入力手段）
２５・・・表示部（表示手段）
２６・・・無線Ｉ／Ｆ（通信手段）
Ｎ・・・ネットワーク
【図１】
2006303737.tif 000003
【図２】
2006303737.tif 000004
【図３】
2006303737.tif 000005
【図４】
2006303737.tif 000006
【図５】
2006303737.tif 000007
【図６】
2006303737.tif 000008
【図７】
2006303737.tif 000009
【図８】
2006303737.tif 000010
【図９】
2006303737.tif 000011